【手続補正書】
【提出日】平成16年7月2日(2004.7.2)
【手続補正１】
【補正対象書類名】明細書
【補正対象項目名】全文
【補正方法】変更
【補正の内容】
【書類名】  明細書
【発明の名称】洗濯機および洗濯機の給水装置
【特許請求の範囲】
【請求項１】
外箱内に洗濯兼脱水槽を回転自在に配設する洗濯機において、停止または回転状態にある前記洗濯兼脱水槽へ霧状のミストを供給する給水装置を配設することを特徴とする洗濯機
【請求項２】
前記給水装置は、前記ミストを前記洗濯兼脱水槽の槽回転方向と逆方向にスクロールさせながら給水することを特徴とする請求項１に記載の洗濯機
【請求項３】
ミスト供給口を少なくとも２つ以上を並設し、並設する前記ミスト供給口は互いに異なる回転方向にスクロールすることを特徴とする洗濯機の給水装置。
【請求項４】
前記給水装置は、複数のミスト供給口を一体に設けて一つの装置とすることを特徴とする請求項３に記載の洗濯機の給水装置。
【請求項５】
前記給水装置は、前記洗濯兼脱水槽へ供給するミストの吐出方向が前記洗濯兼脱水槽内に納まるように、ミスト供給口を末広状に形成したことを特徴とする請求項３または請求項４に記載の洗濯機の給水装置
【請求項６】
前記給水装置は、通常の給水量３Ｌ／ｍｉｎ、水圧０．３Ｍｐａを基準として末広状のミスト供給口の幅狭部の直径を約３ｍｍ程度に、長さを３〜７ｍｍ程度にそれぞれ設定する請求項３から請求項５のいずれかに記載の洗濯機の給水装置。
【請求項７】
前記給水装置は、ミスト供給口の前方位置に横長帯状のノズルカバーを取り付けたことを
特徴とする請求項３から請求項６のいずれかに記載の洗濯機の給水装置。
【請求項８】
前記給水装置は、ミスト供給口の近傍に洗濯兼脱水槽の回転により発生する風の防風手段を設けたことを特徴とする請求項３から請求項７のいずれかに記載の洗濯機の給水装置
【請求項９】
前記防風手段は、少なくとも１つはミスト供給口の風上側に位置させてノズルカバーに設ける縦リブで構成することを特徴とする請求項８記載の洗濯機の給水装置
【請求項１０】
前記防風手段は、ミスト供給口から供給されるミストが直接当たらないように形成位置および縦リブの高さを設定することを特徴とする請求項８または請求項９に記載の洗濯機の給水装置
【発明の詳細な説明】
【０００１】
【発明の属する技術分野】
本発明は洗濯機および洗濯機の給水装置に関するものである。
【０００２】
【従来の技術】
例えば一槽式の全自動洗濯機は、図１、図２に示すように底枠８の上に設置した外箱１内に防振装置２を介して水槽３を搖動自在に吊支し、該水槽３内に、底部に回転翼４を設けた洗濯兼脱水槽５を回転自在に配設するものであり、水槽３の底部には駆動機構としてモータ６やクラッチなどの減速機構などの機構部７が取り付けてあり、また、外箱１の上部には水槽３の上方位置にトップカバー９を取り付けて、該トップカバー９に蓋１０を開閉自在に取り付けてある。
【０００３】
図中１２はトップカバー９に設けた給水口１２に連通する給水ケースを示し、これはトップカバー９内に配設され、該給水ケース１１には予約用洗剤・ソフト仕上剤ケース１３が設けられる。図中１４は洗濯兼脱水槽５や水槽３内の水を機外に排出する排水ホースを示す。
【０００４】
かかる洗濯機において、洗い、すすぎ、脱水の洗濯の全工程は制御装置の働きで自動的に進行し、洗濯兼脱水槽５内に洗濯物を投入し、蓋１０を閉じて、水道栓に直結した給水ホースを給水口１２に接続し、洗濯兼脱水槽５内に給水し、水位センサ（図示は省略してある）で所定水位まで給水されたことが検知されれば、給水が停止し、モータ６に通電されて回転翼４が回転し、洗い工程が開始する。
【０００５】
設定された時間、洗い運転が行われると、洗い工程が終了し、洗濯水が排水ホース１４から排水され、次のすすぎ工程に移行する。すすぎ工程では、すすぎ脱水として最初に給水ケース１１から洗濯兼脱水槽５内の洗濯物に給水しながら同時に洗濯兼脱水槽５を低速回転させるシャワー脱水を行い、このシャワー脱水が終了してから洗濯兼脱水槽５を高速回転させて高速脱水し、次に溜めすすぎを２回行う。溜めすすぎは洗濯兼脱水槽５内に給水して水を溜めた状態で回転翼４を回転させるもので、１回目の溜めすすぎが終了したならば、排水、脱水、給水を行って２回目の溜めすすぎに移行する。
【０００６】
溜めすすぎの終了後、排水し、最後に洗濯兼脱水槽５と回転翼４を高速回転させる脱水工程に移行し、全ての洗濯工程が終了する。
【０００７】
【発明が解決しようとする課題】
すすぎ工程で行うすすぎ脱水は、前記のように洗濯兼脱水槽５内の洗濯物に給水しながら同時に洗濯兼脱水槽５を回転させるものであるが、給水される水がシャワー状態のものであるため、水の粒が大きく、そのため、かかるシャワー状の水が回転する洗濯兼脱水槽５内の洗濯物に当たったときに、水が洗濯物ではじかれるおそれがあった。
【０００８】
このため、従来は、洗濯物に当たる水がはじけることを抑えるべく、洗濯兼脱水槽５の回転を低速で行っており、すすぎ脱水に長い時間を要した。また、低速で洗濯兼脱水槽５を回転させても、水の粒は大きいままであるために、水ハネを有効に防止することは困難であった。
【０００９】
あるいは、例えば特開平７−２４１３９９号公報や特開昭５７−８１３９２号公報に記載されているように、シャワー状の散水を行うときは洗濯兼脱水槽の回転を停止して水ハネを防ぐようにしたものや、特公昭５７−２８５９８号公報に記載されているように洗濯兼脱水槽を回転させながらシャワー散水する場合でも散水の流速を遅くして水ハネを防ぐようにしたものもあるが、効率よいすすぎを期待することが難しく、全体の洗濯時間も長くなるおそれがある。
【００１０】
本発明の目的は前記従来例の不都合を解消し、すすぎ工程で洗濯兼脱水槽を回転させながらのすすぎ脱水を行う場合に、水ハネを有効に防止でき、すすぎ脱水に要する時間も短縮でき、洗浄効率を向上できる洗濯機および洗濯機の給水装置を提供することにある。
【００１１】
【課題を解決するための手段】
本発明は前記目的を達成するため、第１に外箱内に洗濯兼脱水槽を回転自在に配設する洗濯機において、停止または回転状態にある前記洗濯兼脱水槽へ霧状のミストを供給する給水装置を配設することにより、すすぎ脱水時などに供給する水を霧状のミストに形成させ、粒の小さい水を供給できるので、水ハネが防止できる。さらに洗濯兼脱水槽を高速回転させながらでも洗濯物の各部に十分に水をしみ込ませることができ、すすぎ効率が向上する。
【００１２】
第２に、前記給水装置は、前記ミストを前記洗濯兼脱水槽の槽回転方向と逆方向にスクロールさせながら給水することにより、ミストがより飛び散りにくくなり、洗濯物に効率よくしみ込ませることができるので、さらにすずき効率は向上し、すすぎ時間が短縮できる。
【００１３】
第３に、本発明の給水装置は、ミスト供給口を少なくとも２つ以上を並設し、並設する前記ミスト供給口は互いに異なる回転方向にスクロールすることにより、ミスト供給量を確保できてすすぎ効率が向上するとともに、特に、洗濯兼脱水槽の回転方向に対して手前側に位置するミスト供給口から供給されるミストを洗濯兼脱水槽の回転方向と同方向に、後手側に位置するミスト供給口から供給されるミストを洗濯兼脱水槽の回転方向と逆方向にそれぞれスクロールさせる場合は、それぞれの供給口から供給されるミストが互いに干渉してミストの飛び散りをさらに有効に防止できる。
【００１４】
第４に、前記給水装置は、複数のミスト供給口を一体に設けて一つの装置とすることにより、ミスト供給口を２個または３個設けた場合でも、ミスト供給装置に水道水を導く案内ホースが１本で足り、構造、取付が簡単になる。
【００１５】
第５に、前記給水装置は、洗濯兼脱水槽へ供給するミストの吐出範囲が洗濯兼脱水槽内に納まるように、ミスト供給口を末広状に形成したことにより、ミストをスクロールさせながら供給する場合に、供給されるミストが広がりすぎて無駄水が生じることを防止でき、洗濯兼脱水槽内に向けて安定に供給できる。
【００１６】
第６に、前記給水装置は、通常の給水量３Ｌ／ｍｉｎ、水圧０．３Ｍｐａを基準して末広状のミスト供給口の幅狭部の直径を約３ｍｍ程度に設定することにより、水の粒が大きすぎず、また、小さすぎず、飛び散りを最小に止めることのできる最適な径にできる。また、長さを３〜７ｍｍ程度に設定することにより、ミストの吐出範囲が洗濯兼脱水槽内に納まるようにする角度制御が行いやすくなる。
【００１７】
第７に、前記給水装置は、ミスト供給口の前方位置に横長帯状のノズルカバーを取り付けたことにより、ミストの上方への飛び散りを防止できる。
【００１８】
第８に、前記給水装置は、ミスト供給口の近傍に洗濯兼脱水槽の回転により発生する風の防風手段を設けたから、ミスト供給装置に供給される水の水圧が低い場合に、洗濯兼脱水槽が高速脱水時に高速回転することにより発生する風でミスト供給口から吐出される水滴が洗濯兼脱水槽の外部に飛び散ることを防止でき、外箱の内面や蓋の裏面などに水滴が付着することを防げる。
【００１９】
第９に、前記防風手段は、少なくとも１つはミスト供給口の風上側に位置させてノズルカバーに設ける縦リブで構成することにより、洗濯兼脱水槽が高速脱水時に高速回転することにより発生する風がミスト供給口から吐出するミストに当たることを確実に防止でき、洗濯兼脱水槽外への水の飛び散りを防げる。
【００２０】
第１０に、前記防風手段は、ミスト供給口から供給されるミストが直接当たらないように形成位置および縦リブの高さを設定したから、防風のための縦リブをミスト供給口の近傍に設けても、この縦リブにミストが当たることはないから、縦リブがミスト供給の妨げになることはないものである。
【００２１】
【発明の実施の形態】以下、図面について本発明の実施の形態を詳細に説明する。図１は本発明の洗濯機の縦断側面図、図２は同上斜視図で、洗濯機の基本的な構成については既に説明した通りであるから、ここでの詳細な説明は省略する。本発明は前記のような洗濯機の洗濯兼脱水槽５の上方に位置させてトップカバー９の内部に設けた給水ケース１１の下部にミスト供給装置１５を設けた。
【００２２】
このミスト供給装置１５は、第１実施形態として図３〜図９に示すように給水弁１１ａを備えた給水ケース１１に供給される水をさらに導入するものとしてのホース１６に接続されるもので、該ホース１６に接続されるノズルケース１５ｂ、該ノズルケース１５ｂの下部に装着されるノズル１５ａとで構成される。
【００２３】
前記ノズルケース１５ｂは、図６〜図９にも示すように上面を閉塞し、下面を開放した横長蓋状に形成したもので、背面側に前記ホース１６が接続する筒状の接続部１５ｇを突設し、下面の開放部にノズル１５ａを装着した。
【００２４】
このノズル１５ａは、本体の全体形状を横長の受皿状に形成し、内底部に給水路１５ｈを突設する。この給水路１５ｈは、図６にも示すように本体の内底部から突出させた周壁により樋状に形成するもので、後端部の開口を前記筒状の接続部１５ｇに連通し、後方部の略直線状の導水路１５ｊの先端に平面円形の導水路１５ｋを形成し、この導水路１５ｋの中央に散水用のミスト供給口１５ｉを穿設する。
【００２５】
この場合、平面円形の導水路１５ｋの中心部は、略直線状の導水路１５ｊの直線延長線上に位置しないように偏心させ、略直線状の導水路１５ｊの背面側の直線延長線上が平面円形の導水路１５ｋの背面側の接線と合致するように、平面円形の導水路１５ｋを略直線状の導水路１５ｊに対して位置づけて、略直線状の導水路１５ｊから平面円形の導水路１５ｋに流れ込む水の流れが反時計方向（洗濯兼脱水槽５の回転方向と逆同方向）となるようにする。
【００２６】
該ミスト供給口１５ｉは、図９に示すように入口部を漏斗状部１５ｃに形成し、これに連成するその下方の散水口を末広状部１５ｄに形成したもので、このミスト供給口１５ｉの径は、水の粒子の径が例えば１．０ｍｍ以下の分霧状となるようなものに設定する。
【００２７】
ミスト供給口１５ｉの径は、図示の例では、通常の給水量３Ｌ／ｍｉｎ、水圧０．３Ｍｐａを基準して末広状のミスト供給口１５ｉの幅狭部の直径を約３ｍｍ程度に設定した。
【００２８】
そして、このノズル１５ａはノズルケース１５ｂに対して後部が斜下方に傾斜して、ミスト供給口１５ｉが洗濯兼脱水槽５に向けて斜めに突出するように斜設し、図６〜図９に示した例では末広状部１５ｄの背面側の面が垂直になり、これに対して前面側の面が例えば４５度、好ましくは３０度の角度となるようにノズル１５ａの傾斜角および末広状部１５ｄの広がり角度を設定する。
【００２９】
この場合、ミストの吐出範囲が洗濯兼脱水槽５内に納まるようにする角度制御が行いやすくなるようにミスト供給口１５ｉの長さを例えば３〜７ｍｍ程度に設定する。
【００３０】
また、ノズル１５ａからの噴射範囲は、前記のようにミスト供給口１５ｉの形成角度を適宜設定することで可変とすることができるが、例えばホーンなどを別途取り付けて噴射範囲を狭めることもできるものとする。
【００３１】
そして、ノズル１５ａの前部上方に位置させて断面Ｌ字形で横長帯状のノズルカバー１７をノズルケース１５ｂの先端に取り付けた。このノズルカバー１７は、後方のミスト供給口１５ｉの存在を使用者にアピールできるよう透明部材で形成し、かつ、周囲に別部材である洗濯兼脱水槽５や給水ケース１１の色とは異なる色に着色した。
【００３２】
次にかかる洗濯機を使用して行うすすぎ工程について説明する。洗い工程の終了後、すすぎ工程に移行するが、このすすぎ工程の最初の段階で、ミスト供給装置１５に水道水を供給し、この水をノズル１５ａで霧状にして洗濯兼脱水槽５内の洗濯物に吹き付け、同時に洗濯兼脱水槽５と回転翼４を高速回転させてすすぎ脱水を行う。
【００３３】
この場合、ミスト供給装置１５から給水される水は、霧状であり、また、給水路１５ｈの略直線状の導水路１５ｊから平面円形の導水路１５ｋに流れることにより、この平面円形の導水路１５ｋの周壁にそって流れて、漏斗状部１５ｃおよび末広状部１５ｄ内を反時計方向にスクロールしながらミスト供給口１５ｉに至るから、ミストの噴出方向が洗濯兼脱水槽５の回転方向と逆方向となり、霧状の供給水は洗濯物に当たったときにはじかれず、洗濯物に効率よく吸収され、洗濯兼脱水槽５内の洗濯物に万遍なく当てることができる。そして、洗濯兼脱水槽５と回転翼４は高速回転しているから、すすぎ効率がよく、また、すすぎ時間が短縮する。
【００３４】
また、ミストを噴出するミスト供給口１５ｉは、先端を末広状部１５ｄに形成し、その背面側の面が洗濯兼脱水槽５の周壁と同角度の垂直になっているとともに、前面側の面が例えば４５度、好ましくは３０度の角度となっているから、ミスト供給口１５ｉから洗濯兼脱水槽５内に安定した状態で確実にミストを供給でき、洗濯兼脱水槽５の外部に飛散することを防げる。
【００３５】
さらに、ケース１５ｂの前方上部にはノズルカバー１７が取り付けてあるから、ノズル１５ａから噴出するミストの上方への飛び散りを防止でき、ノズル１５ａにホーンを取り付けた場合は、噴出方向の径は狭まるが、噴出方向の方向づけができて洗濯兼脱水槽５の外部へのミストの飛び散りを防止できるだけでなく、洗濯兼脱水槽５の底部までミストを行き届かせることができ、すすぎ効果が向上する。
【００３６】
また、ノズルカバー１７がノズル１５ａの前方を覆っているから、毛布などの大物の洗濯物を洗濯してこれを洗濯兼脱水槽５から引き上げる際に、洗濯物がノズル１５ａに引っ掛かることを防止できる。
【００３７】
そして、ノズルカバー１７の存在そのものと、透明なノズルカバー１７を透過して看取できるノズル１５ａの存在は、ミスト供給という新機能が付与された洗濯機であるということを使用者にアピールできる。また、ノズルカバー１７は着色されているから、該ノズルカバー１７の裏面にはね上げ水などの汚水が飛散しても、これを目立たせなくできる。
【００３８】
なお、図示は省略するが、ノズルカバー１７の表面または裏面の少なくともいずれか一方にシボを形成して粗面に形成しておけば、裏面に付着した汚れも目立ちにくくできる。
【００３９】
ところで、渇水期など水道水の流量が制限されているとき、各家庭での水道水の給水能力によって、あるいは水道栓の開きが少ないなどの理由によって、ミスト供給装置１５への給水量が所定量に達しない場合は、水位センサなどのセンサでこれが検知されると、すすぎ脱水時間を標準の設定値よりも長くして、所定のすすぎ率が得られるようにする。そして、給水量が極端に少なく、すすぎ脱水ではすすぎ性能がでないような場合は、すすぎ脱水を行わずに、溜めすすぎに切り換える。
【００４０】
また、洗濯物の負荷量の多少によっても、給水量とすすぎ脱水時間を変化させ、効率よくすすぎ運転を行う。ちなみに、洗濯物の負荷量が少ない場合にはこれに比例して給水量を少なくし、すすぎ脱水時間を短縮する。
【００４１】
すすぎ脱水中、水位センサで排水量を測定し、排水量が少ない場合は洗濯兼脱水槽５の外への水の飛び散りが発生しているものと判断して、ミスト供給装置１５への給水を停止し、すすぎ脱水を停止して、溜めすすぎに切り換える。洗濯兼脱水槽５外への水の飛び散りは、床面を濡らしたり、電装部品に悪影響を及ぼすおそれがあるためである。
【００４２】
さらに、従来周知のごとく、すすぎ脱水運転中に蓋１０を開くと、これを検知するフタスイッチを設け、このフタスイッチからの出力で洗濯兼脱水槽５の回転を停止するようにしてるが、このフタスイッチからの出力をミスト供給装置１５の駆動部にも導入して、すすぎ脱水運転中に蓋１０を開くと、ミスト供給装置１５を停止するようにすれば、蓋１０を開いたときにミストが洗濯機の外に飛び散ることを防止できる。
【００４３】
このようにしてすすぎ脱水を行ったならば、次に溜めすすぎを１回行い、すすぎ工程が終了する。かかるすすぎ効率のよいすすぎ脱水をすすぎ工程の最初の段階で行うことにより、以後の溜めすすぎの回数を従来の２回から１回に削減でき、全体の洗濯時間も短縮できる。そして、溜めすすぎを１回行った後、最終の脱水工程に移行して、全ての洗濯工程が終了する。
【００４４】
なお、洗濯の全工程の中で、前記のようなミストを噴出する高速回転によるすすぎ脱水を有しないすすぎコースを設定することもできる。これは、例えば、ランジェリー、ウール物、ドライ洗いを行う洗濯物など、高速回転による脱水を行えない洗濯物を洗濯する場合や、毛布などの大物の洗濯物等、ミストを当てると飛び散りが大きいものを洗濯する場合である。
【００４５】
前記第１実施形態ではミスト供給口１５ｉの数は１個としたが、第２実施形態では図１０に示すように給水ケース１１から２本のホース１６を引き出して、ミスト供給装置１５に２つの給水路１５ｈを形成して、ミスト供給口１５ｉを２個とした、。この場合、２個の給水路１５ｈおよびミスト供給口１５ｉは第１実施形態と同様の形態のものを２個並設するものとし、２個のミスト供給口１５ｉから噴出するミストはともに洗濯兼脱水槽５の回転方向と逆方向にスクロールさせながら噴出する。これによりミストの水はねを防ぎながらミストの供給範囲をさらに広くできる。
【００４６】
図１１は第３実施形態を示し、これは第２実施形態と同様にミスト供給装置１５に２つの給水路１５ｈを形成して、ミスト供給口１５ｉを２個とするものであるが、２個のミスト供給口１５ｉから噴出するミストのスクロールさせる方向を相互に反対方向とし、洗濯兼脱水槽５の回転方向に対して手前側に位置するミスト供給口１５ｉから供給されるミストを洗濯兼脱水槽５の回転方向と同方向に、後手側に位置するミスト供給口１５ｉから供給されるミストを洗濯兼脱水槽５の回転方向と逆方向にそれぞれスクロールさせるようにした。
【００４７】
これにより、洗濯兼脱水槽５の回転方向に対して前後に位置する２個のミスト供給口１５ｉからそれぞれ供給されるミストが互いに干渉してミストの飛び散りをさらに有効に防止できる。
【００４８】
図１２〜図１６は第４実施形態を示し、これは第２、第３実施形態と同様に１個のミスト供給装置１５に２個のミスト供給口１５ｉを設ける場合に、ノズルケース１５ｂに接続するホース１６を１本とし、このホース１６に連通する給水路１５ｈも２個のミスト供給口１５ｉに対して１本としたものである。
【００４９】
この第４実施形態では、ミスト供給装置１５は、ノズルケース１５ｂ、該ノズルケース１５ｂの下部に装着されるノズル１５ａに加えて、このノズル１５ａの上部に被冠するノズルキャップ１５ｅとで構成される。
【００５０】
そして、前記ノズルケース１５ｂは、図１３〜図１６にも示すように第１実施形態と同様、上面を閉塞し、下面を開放した横長蓋状に形成したもので、背面側に前記ホース１６が接続する筒状の接続部１５ｇを突設し、下面の開放部にノズル１５ａを装着した。
【００５１】
このノズル１５ａは、本体の全体形状を横長の受皿状に形成し、内底部に給水路１５ｈを突設する。この給水路１５ｈは、図１３にも示すように本体の内底部から樋状に突出させた周壁により形成するもので、中央に形成した略直線状の導水路１５ｊの左右の両端に平面円形の導水路１５ｋをそれぞれ形成し、この左右の導水路１５ｋの中央に散水用のミスト供給口１５ｉを穿設した。
【００５２】
この場合、両端の平面円形の導水路１５ｋの中心部は、略直線状の導水路１５ｊの直線延長線上に位置しないように偏心させ、略直線状の導水路１５ｊの背面側の直線延長線上が平面円形の導水路１５ｋの背面側の接線と合致するように、両端の平面円形の導水路１５ｋを略直線状の導水路１５ｊに対して位置づけて、略直線状の導水路１５ｊから平面円形の導水路１５ｋに流れ込む水の流れが、左側の平面円形の導水路１５ｋでは時計方向（洗濯兼脱水槽５の回転方向と同方向）に、右側の平面円形の導水路１５ｋでは反時計方向（洗濯兼脱水槽５の回転方向と逆同方向）となるようにする。
【００５３】
該ミスト供給口１５ｉは、図１６に示すように入口部を漏斗状部１５ｃに形成し、これに連成するその下方の散水口を末広状部１５ｄに形成したもので、このミスト供給口１５ｉの径は、水の粒子の径が例えば１．０ｍｍ以下の分霧状となるようなものに設定する。
【００５４】
このノズル１５ａはノズルケース１５ｂに対して後部が斜下方に傾斜して、ミスト供給口１５ｉが洗濯兼脱水槽５に向けて斜めに突出するように斜設し、図１２〜図１６に示した例では末広状部１５ｄの背面側の面が垂直になり、これに対して前面側の面が例えば４５度、好ましくは３０度の角度となるようにノズル１５ａの傾斜角および末広状部１５ｄの広がり角度を設定する。
【００５５】
ノズルキャップ１５ｅは前記ノズル１５ａに形成した給水路１５ｈの平面形状に合致し、該給水路１５ｈの上面開口を覆うもので、中心に給水孔１５ｆを設けてある。なお、この給水孔１５ｆに対応する給水路１５ｈの部位は幅広に形成しておく。
【００５６】
そして、ノズル１５ａの前部上方に位置させて断面Ｌ字形のノズルカバー１７をノズルケース１５ｂの先端に取り付けた。このノズルカバー１７の構成は第１実施形態と同様であるからここでの詳細な説明は省略する。
【００５７】
この第４実施形態の作用も基本的には第３実施形態と同様であるが、２個のミスト供給口１５ｉに対して給水路１５ｈを１個、ホース１６を１本としたから、構造が簡単となり、給水ケース１１への取付も容易になる。
【００５８】
なお、第４実施形態において、ノズルキャップ１５ｅを設けない構造とすることも可能であり、また、第１〜第３実施形態においてノズルキャップ１５ｅを設ける構造とすることも可能である。
【００５９】
前記第１〜第４実施形態では、ミスト供給装置１５は洗濯兼脱水槽５の上方でトップカバー９の内側に配設したが、配設位置はこれに限定されるものではなく、第５実施形態として図１７、図１８に示すように蓋１０の下方に洗濯兼脱水槽５の上部開口を覆う内蓋１８を別途設けた場合には、この内蓋１８に配設することも可能である。
【００６０】さらに、第６実施形態として図１９に示すようにトップカバー９から洗濯兼脱水槽５の上方中央部に向けて突出自在に設けてもよい。この場合は、ホース１６は伸縮自在な、例えば蛇腹状に形成し、移動は例えば蓋１０に開閉に連動する自動的なものに形成しておけば、洗濯兼脱水槽５への洗濯物の出入れの邪魔にならない。
【００６１】
図２０〜図２３は第７実施形態を示し、ノズルカバー１７の下面にミスト供給口１５ｉの近傍に位置させて防風手段として縦リブを一体に突設し、これを防風リブ１９とする。図示の例ではミスト供給口１５ｉを２個設けてあり、２個のミスト供給口１５ｉのそれぞれ外側に防風リブ１９を配置した。
【００６２】
この場合、２個の防風リブ１９は、図２３に示すように２つの防風リブ１９間の間隔Ｌおよび各防風リブ１９の高さＨは、ミスト供給口１５ｉから吐出するミストが接触しない間隔Ｌおよび高さＨに設定する。また、洗濯兼脱水槽５の側に突出する箇所は、洗濯物に触れないように、下部後方に向けて傾斜するテーパー部１９ａに形成する。
【００６３】
次に作用について説明すると、すすぎ脱水運転により洗濯兼脱水槽６が高速回転すると、この回転によってミスト供給口１５ｉの下方に図２１に示す例では左から右方向への風が発生する。このとき、ミスト供給口１５ｉに供給される水の水圧が低いとミスト供給口１５ｉから吐出するミストも勢いのないものになるが、ミスト供給口１５ｉの外側に設けてある防風リブ１９によって前記した洗濯兼脱水槽５の回転によって発生した風が遮られるから、ミストが風に流されることを阻止できる。
【００６４】
よって、ミストが洗濯兼脱水槽の外側に飛び散って、外箱１の内側や蓋１０の裏面に付着することがない。
【００６５】
また、防風リブ１９は、ミストと接触しない位置に設けるとともに接触しない形状に形成してあるから、防風リブ１９がミストの噴出を妨げることもない。
【００６６】
なお、ミストが風に流されることを防止するには、ミスト供給口１５ｉの風上側だけに防風リブ１９を１個設けてもよい。
【００６７】
【発明の効果】
以上述べたように本発明は、第１に、外箱内に洗濯兼脱水槽を回転自在に配設する洗濯機において、停止または回転状態にある前記洗濯兼脱水槽へ霧状のミストを供給する給水装置を配設することにより、すすぎ脱水時などに供給する水を霧状のミストに形成させ、粒の小さい水を供給できるので、水ハネが防止できる。さらに洗濯兼脱水槽を高速回転させながらでも洗濯物の各部に十分に水をしみ込ませることができ、すすぎ効率が向上する。
【００６８】
第２に、前記給水装置は、前記ミストを前記洗濯兼脱水槽の槽回転方向と逆方向にスクロールさせながら給水することにより、ミストがより飛び散りにくくなり、洗濯物に効率よくしみ込ませることができるので、さらにすずき効率は向上し、すすぎ時間が短縮できる。
【００６９】
第３に、本発明の給水装置は、ミスト供給口を少なくとも２つ以上を並設し、並設する前記ミスト供給口は互いに異なる回転方向にスクロールすることにより、ミスト供給量を確保できてすすぎ効率が向上するとともに、特に、洗濯兼脱水槽の回転方向に対して手前側に位置するミスト供給口から供給されるミストを洗濯兼脱水槽の回転方向と同方向に、後手側に位置するミスト供給口から供給されるミストを洗濯兼脱水槽の回転方向と逆方向にそれぞれスクロールさせる場合は、それぞれの供給口から供給されるミストが互いに干渉してミストの飛び散りをさらに有効に防止できる。
【００７０】
第４に、前記給水装置は、複数のミスト供給口を一体に設けて一つの装置とすることにより、ミスト供給口を２個または３個設けた場合でも、ミスト供給装置に水道水を導く案内ホースが１本で足り、構造、取付が簡単になる。
【００７１】
第５に、前記給水装置は、洗濯兼脱水槽へ供給するミストの吐出範囲が洗濯兼脱水槽内に納まるように、ミスト供給口を末広状に形成したことにより、ミストをスクロールさせながら供給する場合に、供給されるミストが広がりすぎて無駄水が生じることを防止でき、洗濯兼脱水槽内に向けて安定に供給できる。
【００７２】
第６に、前記給水装置は、通常の給水量３Ｌ／ｍｉｎ、水圧０．３Ｍｐａを基準して末広状のミスト供給口の幅狭部の直径を約３ｍｍ程度に設定することにより、水の粒が大きすぎず、また、小さすぎず、飛び散りを最小に止めることのできる最適な径にできる。また、長さを３〜７ｍｍ程度に設定することにより、ミストの吐出範囲が洗濯兼脱水槽内に納まるようにする角度制御が行いやすくなる。
【００７３】
第７に、前記給水装置は、ミスト供給口の前方位置に横長帯状のノズルカバーを取り付けたことにより、ミストの上方への飛び散りを防止できる。
【００７４】
第８に、前記給水装置は、ミスト供給口の近傍に洗濯兼脱水槽の回転により発生する風の防風手段を設けたから、ミスト供給装置に供給される水の水圧が低い場合に、洗濯兼脱水槽が高速脱水時に高速回転することにより発生する風でミスト供給口から吐出される水滴が洗濯兼脱水槽の外部に飛び散ることを防止でき、外箱の内面や蓋の裏面などに水滴が付着することを防げる。
【００７５】
第９に、前記防風手段は、少なくとも１つはミスト供給口の風上側に位置させてノズルカバーに設ける縦リブで構成することにより、洗濯兼脱水槽が高速脱水時に高速回転することにより発生する風がミスト供給口から吐出するミストに当たることを確実に防止でき、洗濯兼脱水槽外への水の飛び散りを防げる。
【００７６】
第１０に、前記防風手段は、ミスト供給口から供給されるミストが直接当たらないように形成位置および縦リブの高さを設定したから、防風のための縦リブをミスト供給口の近傍に設けても、この縦リブにミストが当たることはないから、縦リブがミスト供給の妨げになることはないものである。
【図面の簡単な説明】
【図１】本発明の洗濯機の実施形態を示す縦断側面図である。
【図２】本発明の洗濯機の実施形態を示す斜視図である。
【図３】本発明の洗濯機の給水装置の実施形態を示すミスト供給装置の斜視図である。
【図４】本発明の洗濯機の給水装置の実施形態を示すミスト供給装置の縦断側面図である。
【図５】本発明の洗濯機の給水装置の第１実施形態が実施される洗濯機の要部の斜視図である。
【図６】本発明の洗濯機の給水装置の第１実施形態が実施されるミスト供給装置の分解斜視図である。
【図７】本発明の洗濯機の給水装置の第１実施形態が実施されるミスト供給装置の平面図である。
【図８】本発明の洗濯機の給水装置の第１実施形態が実施されるミスト供給装置の底面図である。
【図９】本発明の洗濯機の給水装置の第１実施形態が実施されるミスト供給装置の縦断側面図である。
【図１０】本発明の洗濯機の給水装置の第２実施形態が実施される洗濯の要部の斜視図である。
【図１１】本発明の洗濯機の給水装置の第３実施形態が実施される洗濯機の要部の斜視図である。
【図１２】本発明の洗濯機の給水装置の第４実施形態が実施される洗濯機の要部の斜視図である。
【図１３】本発明の洗濯機の給水装置の第４実施形態が実施されるミスト供給装置の分解斜視図である。
【図１４】本発明の洗濯機の給水装置の第４実施形態が実施されるミスト供給装置の平面図である。
【図１５】本発明の洗濯機の給水装置の第４実施形態が実施されるミスト供給装置の底面図である。
【図１６】本発明の洗濯機の給水装置の第４実施形態が実施されるミスト供給装置の縦断側面図である。
【図１７】本発明の洗濯機の給水装置の第５実施形態が実施される洗濯機の斜視図である。
【図１８】本発明の洗濯機の給水装置の第５実施形態が実施される洗濯機の内蓋を閉じた状態の斜視図である。
【図１９】本発明の洗濯機の給水装置の第６実施形態が実施される洗濯機の斜視図である。
【図２０】本発明の洗濯機の給水装置の第７実施形態が実施されるミスト供給装置の縦断側面図である。
【図２１】本発明の洗濯機の給水装置の第７実施形態が実施されるミスト供給装置の正面図である。
【図２２】本発明の洗濯機の給水装置の第７実施形態が実施されるミスト供給装置のノズルカバーの斜視図である。
【図２３】本発明の洗濯機の給水装置の第７実施形態が実施されるミスト供給装置のノズルカバーの縦断側面図である。
【符号の説明】
１  外箱，２  防振装置，３  水槽，４  回転翼，５  洗濯兼脱水槽，６  モータ，７  機構部，８  底枠，９  トップカバー，１０  蓋， １１  給水ケース，１１ａ  給水弁，１２  給水口，１３  予約用洗剤・仕上げ剤ケース，１４  排水ホース， １５  ミスト供給装置，１５ａ  ノズル，１５ｂ  ケース，１５ｃ  漏斗状部，  １５ｄ  末広状部，１５ｅ  ノズルキャップ，１５ｆ  給水孔，  １５ｇ  接続部，１５ｈ  給水路，１５ｉ  ミスト供給口，１５ｊ  略直線状の導水路，１５ｋ  平面円形の導水路，１６  ホース，１７  ノズルカバー，  １８  内蓋，１９  防風リブ，１９ａ  テーパー部